(57)【特許請求の範囲】
【請求項１】
電源回路としてのスイッチング電源を収容した警報器本体と、
前記スイッチング電源に電力を供給するとともに、前記警報器本体外に引き出された電源ケーブルと、
前記警報器本体に取り付けられて、前記電源ケーブルの余長部分が巻き付けられる巻き取り部材と、を備えたガス漏れ警報器において、
前記巻き取り部材が、前記警報器本体の建造物の内壁面と相対する外表面と間隔をあけて平行に配される平板部と、該平板部から前記警報器本体に向かって立設して前記電源ケーブルの余長部分が巻き付けられる巻き取り部と、を備え、
前記平板部の前記外表面と平行な面の略全体に貼り付けられた金属を含んだシールド板を更に備えたことを特徴とするガス漏れ警報器。
【請求項２】
前記シールド板は、前記平板部の前記警報器本体と相対する表面に貼り付けられていることを特徴とする請求項１記載のガス漏れ警報器。
【発明の詳細な説明】
【技術分野】
【０００１】
本発明は、ガス漏れ警報器に係り、特に、輻射ノイズを低減できるガス漏れ警報器に関する。
【背景技術】
【０００２】
従来から種々のガス漏れ警報器（例えば、特許文献１参照）が用いられてきた。ガス漏れ警報器は、ガス漏れセンサや各種の制御を行う制御回路などの機能部品を実装した印刷配線板と、印刷配線板及び機能部品を収容した警報器本体などを備えている。前述した従来のガス漏れ警報器は、勿論、交流１００Ｖの電圧が供給されて、該電圧をトランスなどで減圧するなどして、電源として用いてきた。
【特許文献１】特開２００５−４９９３６号公報
【発明の開示】
【発明が解決しようとする課題】
【０００３】
前述した従来のガス漏れ警報器は、前述したようにトランスなどを用いて減圧してきたため、輻射ノイズが殆ど発生していなかった。しかしながら、ガス漏れ警報器は、より小型軽量化であることが望まれているため、所謂スイッチング電源を用いる必要が生じている。この種のスイッチング電源を用いると、おのずと輻射ノイズが増加して、輻射ノイズの拡散を防止することが望まれる。
【０００４】
したがって、本発明の目的は、輻射ノイズの外部への拡散を防止できるガス漏れ警報器を提供することである。
【課題を解決するための手段】
【０００５】
前述した課題を解決し目的を達成するために、請求項１に記載の本発明のガス漏れ警報器は、電源回路としてのスイッチング電源を収容した警報器本体と、前記スイッチング電源に電力を供給するとともに、前記警報器本体外に引き出された電源ケーブルと、前記警報器本体に取り付けられて、前記電源ケーブルの余長部分が巻き付けられる巻き取り部材と、を備えたガス漏れ警報器において、前記巻き取り部材が、前記警報器本体の建造物の内壁面と相対する外表面と間隔をあけて平行に配される平板部と、該平板部から前記警報器本体に向かって立設して前記電源ケーブルの余長部分が巻き付けられる巻き取り部と、を備え、前記平板部の前記外表面と平行な面の略全体に貼り付けられた金属を含んだシールド板を更に備えたことを特徴としている。
【０００６】
請求項２に記載の本発明のガス漏れ警報器は、請求項１に記載のガス漏れ警報器において、前記シールド板は、前記平板部の前記警報器本体と相対する表面に貼り付けられていることを特徴としている。
【０００７】
請求項１に記載した本発明のガス漏れ警報器によれば、巻き取り部材の警報器本体の外表面と平行な平板部にシールド板を貼り付けているので、スイッチング電源などを用いて輻射ノイズが増加しても、該輻射ノイズがシールド板の外側に拡散することを防止できる。
【０００８】
また、平板部にシールド板を貼り付けるので、該シールド板を貼り付ける際にかかる手間を抑制できる。
【０００９】
請求項２に記載した本発明のガス漏れ警報器によれば、シールド板が平板部の警報器本体に相対する表面に貼り付けられているので、該シールド板が外側に露出することを防止できる。
【発明の効果】
【００１０】
請求項１に記載の本発明によれば、巻き取り部材の警報器本体の外表面と平行な平板部にシールド板を貼り付けているので、スイッチング電源などを用いて輻射ノイズが増加しても、該輻射ノイズがシールド板の外側に拡散することを防止できる。したがって、輻射ノイズの拡散を防止できる。
【００１１】
また、平板部にシールド板を貼り付けるので、該シールド板を貼り付ける際にかかる手間を抑制できるので、シールド板という部品が増加しても、組立にかかる手間の増加を防止できるので、ガス漏れ警報器のコストの高騰を抑制できる。
【００１２】
請求項２に記載の本発明によれば、シールド板が外側に露出することを防止できるので、美観を損ねることを防止できる。
【発明を実施するための最良の形態】
【００１３】
本発明の一実施形態にかかるガス漏れ警報器を、図１ないし図６を参照して説明する。
【００１４】
本発明の一実施形態にかかるガス漏れ警報器１は、図１に示すように、ガス漏れセンサ２や各種の制御を行う制御回路や電源回路などの機能部品を実装した印刷配線板３（図３に示す）と、印刷配線板３及び前述したガス漏れセンサ２などの機能部品を収容した警報器本体４と、電源ケーブル５と、巻き取り部材としての巻き取り板６と、シールド板７とを備えている。
【００１５】
印刷配線板３は、勿論、絶縁性の基板と、該基板の外表面に形成された導体パターンとを備えている。導体パターンは、前述したガス漏れセンサ２、制御回路及び電源回路などの機能部品同士を予め定められたパターンにしたがって電気的に接続している。前述した電源回路は、所謂スイッチング電源となっている。
【００１６】
警報器本体４は、図２に示すように、互いに取り付けられるロアケース８とアッパケース９とを備えて、扁平な箱状に形成されている。警報器本体４は、アッパケース９が建造物の室内側に露出し、かつロアケース８が建造物の内壁面と相対した状態で、当該内壁面に取り付けられる。警報器本体４は、勿論、前述した機能部品を収容する。
【００１７】
電源ケーブル５は、一端が警報器本体４内に収容され、該一端から警報器本体４外に引き出されている。電源ケーブル５の他端には、前述した建造物の内壁面に設置されたコンセントと接続するプラグ１０が取り付けられている。前述した電源ケーブル５は、プラグ１０がコンセントに接続して、該コンセントからの電力を警報器本体４内の印刷配線板３及び該印刷配線板３に実装された前述した機能部品などに供給する。
【００１８】
巻き取り板６は、図２に示すように、警報器本体４の前述した建造物の内壁面と相対する外表面４ａ即ちロアケース８に取り付けられている。巻き取り板６は、絶縁性の合成樹脂で構成されており、図４及び図６に示すように、平板部１１と、該平板部１１から立設した巻き取り部１２とを一体に備えている。
【００１９】
平板部１１は、平面形状が警報器本体４と略等しい平板状に形成されている。平板部１１は、その両表面が警報器本体４の前述した外表面４ａと平行に配置されている。平板部１１は、警報器本体４の前述した外表面４ａと間隔をあけて相対して配置されている。
【００２０】
巻き取り部１２は、平板部１１の中央に設けられ、該平板部１１の中央から警報器本体４に向かって立設している。巻き取り部１２は、巻き取り部本体１３と、一対の巻き取り突起１４とを備えている。巻き取り部本体１３は、平板部１１の中央から警報器本体４に向かって凸に形成されている。巻き取り部本体１３は、その上面が前述した平板部１１の両表面と平行に形成されている。巻き取り部本体１３は、その平面形状が小判形に形成されている。巻き取り部本体１３の長手方向は、内壁面にガス漏れ警報器１が設置されると、鉛直方向と平行となる。巻き取り突起１４は、巻き取り部本体１３から凸に形成され、かつ該巻き取り部本体１３の長手方向の両端部に設けられている。
【００２１】
前述した構成の巻き取り板６は、警報器本体４と平板部１１との間に巻き取り部１２を位置付けて、警報器本体４の外表面４ａに取り付けられる。そして、巻き取り板６は、図６中の二点鎖線で示すように、一対の巻き取り突起１４の外周に電源ケーブル５が巻き付けられる。巻き取り板６は、プラグ１０がコンセントに接続した電源ケーブル５の余長部分（警報器本体４とコンセントとの間で弛む部分）が巻き付けられる。
【００２２】
シールド板７は、平板状に形成され、かつ、図５（ａ）に示すように、中央に巻き取り部１２を通す通し孔１５が貫通している。シールド板７は、通し孔１５内に巻き取り部１２を通して、平板部１１の警報器本体４と相対する表面１１ａに貼り付けられている。表面１１ａは、警報器本体４の外表面４ａと平行な面である。
【００２３】
シールド板７は、図５（ｂ）に示すように、ポリエステルなどの絶縁性の合成樹脂で構成された絶縁シート１６と、銅などの導電性の金属で構成された金属シート１７と、両面粘着テープ１８とが順に積層されている。即ち、シールド板７は、導電性の金属を含んでいる。シールド板７は、両面粘着テープ１８が巻き取り板６の平板部１１の前述した表面１１ａに貼り付けられて、該巻き取り板６に取り付けられている。
【００２４】
本実施形態によれば、巻き取り板６の警報器本体４の外表面４ａと平行な平板部１１にシールド板７を貼り付けているので、スイッチング電源などを用いて輻射ノイズが増加しても、該輻射ノイズがシールド板７の外側に拡散することを防止できる。したがって、輻射ノイズの拡散を防止できる。
【００２５】
また、平板部１１にシールド板７を貼り付けるので、該シールド板７を貼り付ける際にかかる手間を抑制できる。したがって、シールド板７という部品が増加しても、組立にかかる手間の増加を防止できるので、ガス漏れ警報器１のコストの高騰を抑制できる。
【００２６】
シールド板７が平板部１１の警報器本体４に相対する表面１１ａに貼り付けられているので、該シールド板７がガス漏れ警報器１の外側に露出することを防止できる。したがって、ガス漏れ警報器１の美観を損ねることを防止できる。
【００２７】
また、シールド板７を平板部１１の警報器本体４に相対する表面１１ａに貼り付けているので、シールド板７を貼り付けても、ガス漏れ警報器１の厚みが厚くなることを防止できる。したがって、ガス漏れ警報器１の大型化を防止できる。
【００２８】
前述した実施形態では、平板部１１の警報器本体４と相対する表面１１ａにシールド板７を貼り付けている。しかしながら、本発明では、前述した表面１１ａの裏側に位置する平板部１１の表面１１ｂにシールド板７を貼り付けても良い。表面１１ｂは、警報器本体４の外表面４ａと平行な面である。要するに、本発明では、巻き取り板６のノイズ発生源となる印刷配線板３と平行となる表面１１ａ，１１ｂにシールド板７を貼り付ければ良い。
【００２９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３０】
【図１】本発明の一実施形態にかかるガス漏れ警報器の正面図である。
【図２】図１中のＩＩ−ＩＩ線に沿う断面図である。
【図３】図１に示されたガス漏れ警報器の印刷配線板の平面図である。
【図４】図１に示されたガス漏れ警報器の巻き取り板の平面図である。
【図５】（ａ）は図１に示されたガス漏れ警報器のシールド板の平面図であり、（ｂ）は図５（ａ）中のＶＢ−ＶＢ線に沿う断面図である。
【図６】図５に示されたシールド板が取り付けられた巻き取り板の平面図である。
【符号の説明】
【００３１】
１  ガス漏れ警報器
２  ガス漏れセンサ（機能部品）
４  警報器本体
４ａ  外表面
５  電源ケーブル
６  巻き取り板（巻き取り部分）
７  シールド板
１１  平板部
１１ａ，１１ｂ  表面（面）
１２  巻き取り部
【図１】
0004724022.tif 000002
【図２】
0004724022.tif 000003
【図３】
0004724022.tif 000004
【図４】
0004724022.tif 000005
【図５】
0004724022.tif 000006
【図６】
0004724022.tif 000007